(57)【要約】【課題】流入側、流出側にかかわらず、いずれの向きにも取り付けが可能でありながら、排水性がよく、また異物の侵入を防ぐことができる樋継手を提供する。【解決手段】流水口２を有した本体筒部３と、その本体筒部３から流水口２を有した樋連結筒４を分岐突設した樋継手１において、それぞれの上記流水口２の端部には、竪樋９或いは集水体１０下方の開口端を、その内、外周の両面から挟むようにして挿着させる嵌合溝８が設けられていることを特徴とする。【選択図】図２
2007218020.tif 000002
【特許請求の範囲】
【請求項１】
流水口を有した本体筒部と、その本体筒部から流水口を有した樋連結筒を分岐突設した樋継手において、
それぞれの前記流水口の端部には、竪樋或いは集水体下方の開口端を、その内、外周の両面から挟むようにして挿着させる嵌合溝が設けられていることを特徴とする樋継手。
【請求項２】
請求項１において、
本体筒部は、開口底を有しており、該開口底には、棒状体を立設した蓋が取り外し可能に装着されていることを特徴とする樋継手。
【請求項３】
請求項１又は請求項２において、
嵌合溝は、竪樋或いは集水体下方の開口端を挿嵌させる溝形成壁を有しており、該溝形成壁は、本体筒部の内面側壁部を外面側壁部よりも低く形成し、且つ該内面側壁部には、内周面側を低くした傾斜縁を形成していることを特徴とする樋継手。
【発明の詳細な説明】
【技術分野】
【０００１】
本発明は、例えば、集水体と竪樋、或いは竪樋同士等を連結させる際に使用する樋継手に関し、詳しくは、該樋継手が設置される現場の排水構造に応じて、流入側、流出側にかかわらず、いずれの向きにも取り付け可能な樋継手に関する。
【背景技術】
【０００２】
従来より、軒先に設けられ、軒樋から流下する雨水等を該軒樋の下流端に設置した集水体の集水口に集め、該集水体と竪樋とを連結する樋継手を介して、雨水等を排水する排水構造が知られている。
下記特許文献にはこのような排水構造としたものが各々開示されており、下記特許文献１には、竪樋と湾曲樋部材（樋継手）との連結部に竪樋の抜け移動を阻止するための突起部が設けられたものが記載されている。
また下記特許文献２には、短筒状体（樋継手）の外周面筒方向中程の位置に、凸条が設けられ、またその上端から下方へは、廻り傾斜して凹所（複数の溝）が刻設されたものが記載されており、このような構造とすることにより、樋継手の連結部分から、雨水が流出することを防いでいる。
【特許文献１】特開平８−１０９７１４号公報
【特許文献２】特開２０００−１０９７１４号公報
【発明の開示】
【発明が解決しようとする課題】
【０００３】
ところが、このように樋継手の流水口端部に突起部や凹凸部が形成された樋継手は、突起部や凹凸部の構造に起因しておのずと、樋継手の設置方向が決まってしまうという問題があった。
即ち、樋継手を集水体と竪樋、或いは竪樋同士等を連結させる際に用いる場合、水漏れ或いは水の浸入防止等の観点から、流入側となる流水口は、外嵌されて連結される構造とする一方、流出側となる流水口は、内嵌されて連結される構造とすることが多く、これに応じて上述のような突起部等が形成されていた。
しかしながら、現場の施行や部品点数の削減、製品コストの観点から、樋継手がいずれの向きにおいても連結可能なものが望まれている。
【０００４】
また上述のように樋継手は、竪樋の抜けや防水面等を配慮した構造とする一方で、雨水の流れをスムーズにし、排水性をよくすることや雨水以外の異物の侵入を防ぐことにも配慮を要するものである。
例えば、軒樋の下流端に設置された集水体に集水された雨水等は、排水口の大きさに比例して排水されるが、豪雨等のように多量の雨水等が流れ込んだ場合には、樋継手の排水性が悪いと、集水体から排水しきれない雨水等が溢れ出てしまうという問題があった。またボール等の侵入物が侵入すると、前記侵入物が集水体の集水口を塞いでしまい、雨水等をスムーズに排水できないばかりでなく、上述の場合と同様に集水体に雨水等が貯水されて、やがて集水体から溢れ出てしまうという問題があった。
【０００５】
そこで、集水体の開放端に金網等を設けて、ボール等の侵入を防止することも考えられたが、このような金網等では、ボール等の侵入物を阻止できる反面、例えば、落葉等が付着滞積して、その網目が塞がれてしまい、雨水等が円滑に排水できなくなるため採用できない。
また、ボール等の侵入物が侵入した後、これを除去する場合には、高所に設置された集水体の更に上方から手を差し入れて、前記ボール等を除去しなければならず、除去作業が困難なうえ、危険を伴うという問題もあった。
【０００６】
本発明は、かかる課題を解決することを目的としたものであり、流入側、流出側にかかわらず、いずれの向きにも取り付けが可能でありながら、排水性がよく、また異物の侵入を防ぐことができる樋継手を提供する。
【課題を解決するための手段】
【０００７】
上記目的を達成するため、
請求項１に係る樋継手は、流水口を有した本体筒部と、その本体筒部から流水口を有した樋連結筒を分岐突設した樋継手において、
それぞれの上記流水口の端部には、竪樋或いは集水体下方の開口端を、その内、外周の両面から挟むようにして挿着させる嵌合溝が設けられていることを特徴とする。
【０００８】
また請求項２に係る樋継手は、請求項１において、
本体筒部は、開口底を有しており、該開口底には、棒状体を立設した蓋が取り外し可能に装着されていることを特徴とする。
【０００９】
更に請求項３に係る樋継手は、請求項１又は請求項２において、
嵌合溝は、竪樋或いは集水体下方の開口端を挿嵌させる溝形成壁を有しており、該溝形成壁は、本体筒部の内面側壁部を外面側壁部よりも低く形成し、且つ該内面側壁部には、内周面側を低くした傾斜縁を形成していることを特徴とする。
【発明の効果】
【００１０】
本発明によれば、次のような効果がある。
請求項１に係る樋継手によれば、流水口の端部には、竪樋或いは集水体下方の開口端を、その内、外周の両面から挟むようにして挿着させる嵌合溝が設けられているので、本体筒部、樋連結筒のいずれの流水口においても、竪樋或いは集水体下方の開口端をしっかりと内嵌させることができる。また、流水口を上流、下流のどちらの向きに挿着させても、水漏れし難い態様で竪樋同士或いは集水体と竪樋とを連結させることができる。
【００１１】
請求項２に係る樋継手によれば、本体筒部は、開口底を有しており、該開口底には、棒状体を立設した蓋が取り外し可能に装着されているため、侵入物が侵入しても、棒状体がその侵入を阻止し、侵入物が本体筒部内を塞ぐことを阻止できる。
また、棒状体の設置向きをコントロールすることにより、流入してくる雨水等の流れを排水側へとスムーズに整流する効果が期待できる。
【００１２】
請求項３に係る樋継手によれば、嵌合溝は、竪樋或いは集水体の開口端を挿嵌させる溝形成壁を有しており、該溝形成壁は、上記本体筒部の内面側壁部を外面側壁部よりも低く形成されているので、流水口を上流、下流のどちらの向きに挿着させても、竪樋或いは集水体の開口端を強固に挟むことができ、抜けが生じにくく、外部からの水の浸入を防ぐとともに、本体筒部内を流下する水が漏れるおそれもない。また樋継手の外観は従来のものとかわらずすっきりと構成することができる。
更に内面側壁部には、内周面側を低くした傾斜縁が形成されているので、本体筒部を流下する水が内面側壁部の縁部に溜まることがなく、一層防水性、排水性のよい樋継手とすることができる。
【発明を実施するための最良の形態】
【００１３】
以下、本発明に係る樋継手を図面とともに説明する。図１は、本発明の一例である樋継手の全体斜視図、図２は図１に示した樋継手の概略縦断面図、図３（ａ）（ｂ）は図１に示した要部部分拡大断面図、図４は本発明の使用例を説明した図である。
【実施例１】
【００１４】
図において、樋継手１は、流水口２を有した本体筒部３と、その本体筒部３から流水口２を有した樋連結筒４を分岐突設されてなり、本体筒部３及び樋連結筒４に形成された流水口２は、いずれか一方が雨水等が流入してくる上流側口となり、他方は流れてきた雨水等を排水する下流側口として構成される。また、樋継手１は、本体筒部３と、本体筒部３から水平よりも僅かに下方に傾斜された方向に分岐突設された樋連結筒４とよりなり、本体筒部３の直下には、開口底５が開設されており、開口底５には、棒状体７を立設した蓋６が取り外し可能に装着されている。
【００１５】
図２に示すように、流水口２の端部２ａには、竪樋９或いは集水体１０下方の開口端を、その内、外周の両面から挟むようにして挿着させる嵌合溝８がそれぞれ設けられており、この嵌合溝８は、竪樋９或いは集水体１０下方の開口端を挿嵌させる溝形成壁８１を有している。
ここで、この溝形成壁８１は、流水口２の端部２ａの内周面全周に形成されるものであってもよいし、所定の間隔をもって部分的に形成されるものとしてもよい。
【００１６】
このように、流水口２の端部２ａには、竪樋９或いは集水体１０下方の開口端を、その内、外周の両面から挟むようにして挿着させる嵌合溝８が設けられているので、本体筒部３、樋連結筒４のいずれの流水口２においても、竪樋９或いは集水体１０下方の開口端をしっかり内嵌させることができ、水漏れし難い態様で竪樋９同士或いは集水体１０と竪樋９とを強固に連結させることができる。すなわち、本発明の樋継手１は、水上、水下、どちらでも接合可能な兼用型である。
【００１７】
開口底５は、上述のとおり、これを封止可能な蓋６が着脱自在に取り付けられる構造としており、開口底５と略同口径の有底筒状体の蓋６に設けられた突起部６ｂと嵌合させ、封止し固定される構造としている。このように開口底５は、蓋６によって着脱可能としているので、点検口とすることもでき、また蓋６を取り外せば、樋継手１内部に溜まったゴミ等を容易に取り除くことができる。
【００１８】
なお、蓋６の固定構造はこれに限られず、開口底５の外面にネジ溝を形成すると共に、蓋６側に前記ネジ溝に螺合するネジ山を形成した構造のものでも良く、要するに、開口底５を蓋６によって封止可能であると共に、この蓋６が開口底５に着脱自在に取り付けられる構造のものであれば、どのような構造でもよい。
また蓋６の内面底部６ａの中央には、筒状に突起した挿着受部６ｃが設けられており、棒状体７は該挿着受部６ｃに立設させて構成される。
なお、棒状体７は、着脱可能とせず、挿着受部６ｃに固着させたものであってもよい。
【００１９】
このように、開口底５が棒状体７を立設した蓋６で閉塞しているため、侵入物が侵入しようとしても、棒状体７の上端７ａが侵入物の侵入を阻止して、侵入物が本体筒部３内を塞ぐことを阻止できる。
またこのような棒状体７は、流れ込んでくる雨水等の排水を排水側へ誘導する整流効果も期待でき、該棒状体７の設置方向をコントロールすることにより、排水をスムーズに行うことができる。
なお、棒状体７の形状は図例のものに限られず、棒状体７の外周胴部に螺旋溝を形成したものとしてもよい。これによれば、一層の整流効果が期待できる。また、棒状体７は、軽量化を図るため、中空管体としてもよい。
【００２０】
図３には、竪樋９の開口端９ａが溝形溝８に嵌合された状態を示しており、矢印は水の流れ方向を指している。図３（ａ）は、流水口２の上流側に竪樋９が連結された状態を示しており、図３（ｂ）は、流水口２の下流側に竪樋９が連結された状態を示している。
なお、ここではいずれも本体筒部３に設けられた流水口２と竪樋９が連結された例を示しているがこれに限られず、樋連結筒４の流水口２と竪樋９が図例と同様に連結可能な点は言うまでもない。
またここでは図示していないが、流水口２の上流側に集水体１０が配置される場合においても、集水体１０の開口端（不図示）を該嵌合溝８に挿着させ、互いを連結させることができる（図４（ａ）参考）。
【００２１】
このように嵌合溝８は、竪樋９或いは集水体１０下方の開口端を挿嵌させる溝形成壁８１を有しており、溝形成壁８１は、内面側壁部８１ａを外面側壁部８１ｂよりも低く形成されているので、流水口２を上流、下流のどちらの向きに挿着させても、竪樋９或いは集水体１０下方の開口端を強固に挟むことができ、抜けが生じにくい構造とすることができる。よって、樋継手１外部からの水等の浸入を防ぐとともに、本体筒部３内、樋連結筒４内を流下する水が連結部分から外部に漏れるおそれもない。また溝形成壁８１は流水口２の内周端部に設けられているので、樋継手１の外観は従来のものと変わらずすっきりと構成することができる。更に簡易な構造でなるものなので、コストアップの懸念もない。
【００２２】
図３（ａ）の一点鎖線で囲まれた一部拡大図に示すように、溝形成壁８１は、本体筒部３の内面側壁部８１ａを外面側壁部８１ｂよりも低く形成され、且つ該内面側壁部８１ａには、内周面側を低くした傾斜縁８２が形成されている。
このように傾斜縁８２が形成されているので、本体筒部３を流下する水が内面側壁部８１ａの縁部に溜まることがなく、一層防水性排水性のよい樋継手とすることができる。
【００２３】
図４（ａ）〜（ｃ）は、本発明の使用例を説明した図である。
図４（ａ）は、流水口２の上流側に集水体１０、下流側に竪樋９が連結された使用例を示している。即ち、樋継手１を介して集水体１０と竪樋９を連結した例である。図４（ｂ）（ｃ）は、流水口２の下流側に竪樋９が連結された状態を示している。即ち竪樋９同士を連結した例である。
集水体１０は、図４（ａ）〜（ｃ）に示すように上方が開放された箱状に形成されており、その一側壁には従来同様、軒樋の下流端が連通され、また中央には、貫通された集水口が形成されている。ここで、集水体１０とは、本実施例で例示したものに限定されるものではなく、例えば、受け升、ドレン等の集水器具の総称を意味しており、その形状も丸型、角型等に限定されるものではない。図中、１１はエルボである。
【００２４】
図４（ａ）のように、集水体１０と竪樋９との連結部分に樋継手１を用いれば、棒状体７により雨水等の排水をスムーズに竪樋９側へ導くことができるとともに、ボール等の侵入物が、集水体１０に侵入しても、棒状体７の上端７ａが侵入物の侵入を阻止して、侵入物が集水口（不図示）を塞ぐことを阻止できる。また、侵入物が侵入してきても、棒状体７によって本体筒部３内へ侵入することを阻止できるため、高所に設置された集水体１０の上方から手等を本体筒部３にまで差し入れて除去する必要がなく、その除去作業を安全且つ容易とすることができる。
【００２５】
図４（ｂ）（ｃ）のように、竪樋９同士の連結部分に樋継手１を用いれば、棒状体７により雨水等の排水をスムーズに連結された竪樋９側へ導くことができるとともに、雨水等と一緒にゴミ等が流れ込んでも、棒状体７によって取り除くことができる。上述のように、開口底５を封止する蓋６は着脱可能な構造となっているので、この蓋６を取り外せば、棒状体７によって取り除かれたゴミ等を取り除くことができる。またここを点検口として活用することも可能である。
なおここでは、樋継手１以外の連結部分はエルボ１１を用いて連結しているが、ここに樋継手１を用いることができる点は言うまでもない。
【００２６】
このように、本体筒部３と樋連結筒４の流水口２は、上流側、下流側のいずれの向きにも設置可能であるので、接合のバリエーションが増加し施行現場の状況に応じて、対応可能な樋継手１とすることができる。
【図面の簡単な説明】
【００２７】
【図１】本発明の一例である樋継手の全体斜視図である。
【図２】図１に示した樋継手の概略縦断面図である。
【図３】図１に示した要部部分拡大断面図である。
【図４】（ａ）〜（ｃ）本発明の使用例を説明した図である。
【符号の説明】
【００２８】
１      樋継手
２      流水口
３      本体筒部
４      樋連結筒
５      開口底
６      蓋
６ａ    内面底部
７      棒状体
８      嵌合溝
８１    溝形成壁
８１ａ  内面側壁部
８１ｂ  外面側壁部
８２    傾斜縁
９      竪樋
１０    集水体
１１    エルボ
【図１】
2007218020.tif 000003
【図２】
2007218020.tif 000004
【図３】
2007218020.tif 000005
【図４】
2007218020.tif 000006